(57)【特許請求の範囲】
【請求項１】
電子機器の筐体のスリットに取り付けられて拡張カードを前記筐体の内側において前記筐体に取り付けるための取付部品であって、
前記拡張カードを装着するための部品であるカード装着部品と前記筐体に取り付けるための部品である筐体装着部品と、を備え、
前記カード装着部品及び前記筐体装着部品のうちの一方が係合部を、前記カード装着部品及び前記筐体装着部品のうちの他方が、前記係合部に係合される被係合部を、各々備え、
前記係合部が挿入部であり、前記被係合部が、前記挿入部が挿入される穴が形成された被挿入部であり、
前記筐体に取り付けられたときに、前記被挿入部が、前記スリットの端部に接しない、
取付部品。
【請求項２】
前記スリットを前記内側から覆うように装着される、請求項１に記載された取付部品。
【請求項３】
前記拡張カードは、前記拡張カードに形成された配線を外部に接続するためのコネクタを備えており、前記カード装着部品は、前記コネクタを装着するためのコネクタ装着部を備える、請求項１又は請求項２に記載された取付部品。
【請求項４】
前記コネクタは、電磁波対策部材を介して、前記カード装着部品に装着される、請求項３に記載された取付部品。
【請求項５】
前記挿入部の周囲に第一の面が、前記被挿入部に第二の面が形成されており、前記係合により、前記第一の面が前記第二の面に接合される、請求項４に記載された取付部品。
【請求項６】
前記係合の後に、前記被挿入部が前記挿入部にネジ止めされる、請求項５に記載された取付部品。
【請求項７】
前記筐体に取り付けられたときに、前記被挿入部が、前記スリットに収まる、請求項５又は請求項６に記載された取付部品。
【請求項８】
請求項１乃至請求項７のうちのいずれか一に記載された取付部品と、前記取付部品に装着された前記拡張カードと、を備える拡張カード部品。
【請求項９】
拡張カードを装着するためのカード装着部品と、
複数の、電子機器の筐体のスリットに取り付けられて拡張カードを前記筐体の内側に取付けるための筐体装着部品と、を備え、
前記カード装着部品及び前記筐体装着部品のうちの一方に係合部が、前記カード装着部品及び前記筐体装着部品のうちの他方に前記係合部が係合される被係合部が、備えられており、
第一の前記筐体装着部品と第二の前記筐体装着部品とで高さが異なり、
前記係合部が挿入部であり、前記被係合部が、前記挿入部が挿入される穴が形成された被挿入部であり、
前記筐体に取り付けられたときに、前記被挿入部が、前記スリットの端部に接しない、
部品セット。
【発明の詳細な説明】
【技術分野】
【０００１】
本発明は、電子部品を装置に取りつける部品に関する。
【背景技術】
【０００２】
コンピュータやサーバ等の情報処理装置である電子機器のＰＣＩ拡張カード用スロット及びＰＣＩ拡張カード（以下、単に「カード」ともいう。）には、サイズに関する規格が定められている（非特許文献1参照）。ここで、ＰＣＩは、Ｐｅｒｉｐｈｅｒａｌ  Ｃｏｍｐｏｎｅｎｔ  Ｉｎｔｅｒｃｏｎｎｅｃｔの略である。例えば、ＰＣＩ拡張カードを情報処理装置に取り付けるための部品であるＰＣＩ  ＥｘｐｒｅｓｓアドインカードＩ／Ｏ  Ｂｒａｃｋｅｔ（以下、「ブラケット」ともいう。）のサイズに関し、規格化されている。そして、ブラケットについて、互いに高さの異なる「Ｓｔａｎｄａｒｄ  Ｈｅｉｇｈｔ」及び「Ｌｏｗ  Ｐｒｏｆｉｌｅ」の２種類の形状が規格化されている（非特許文献２参照）。ここで、Ｉ／Ｏは、Ｉｎｐｕｔ／Ｏｕｔｐｕｔの略である。
【０００３】
図１は、一般的なブラケットの構成を表すイメージ図である。なお、図においては、ブラケットの一部の構成や構造は省略されている。さらに、図に表される構造は、あくまでもイメージを表すものであり、寸法等は規定されたものではない。
【０００４】
図１（ａ）乃至図１（ｃ）は、Ｌｏｗ  Ｐｒｏｆｉｌｅのブラケットの例であるブラケット１０ａを表す。図１（ａ）は、ブラケット１０ａの正面図である。図１（ｂ）は、ブラケット１０ａの図１（ａ）に表される矢印９１ｂの向きを見た側面図である。また、図１（ｃ）は、ブラケット１０ａの図１（ａ）に表される矢印９１ａの向きを見た上面図である。
【０００５】
ブラケット１０ａは、互いに固定され、あるいは、一体的に成型された、上部１１ａと側部１２ａとを備える。側部１２ａには、取付け部１３ａ及び１４ｂが形成されている。取付け部１３ａ及び１４ｂは、後述のように、ＰＣＩ拡張カードを取り付けるための部分である。取付け部１３ａ及び１４ｂには、ネジ穴１９ａ及び１９ｂが形成されている。ＰＣＩ拡張カードは、ネジ穴１９ａ及び１９ｂにネジ止めされる。
【０００６】
側部１２ａには、また、穴３６ａが形成されている。穴３６ａは、後述のように、ＰＣＩ拡張カードに設置されたコネクタの端子部を差し込み、コネクタをブラケット１０ａに装着するためのものである。
【０００７】
図１（ｃ）に表されるように、上部１１ａには、切欠け１５ａが形成されている。切欠け１５ａは、後述のように、ＰＣＩ拡張カードを取り付けたブラケット１０ａを、電子機器の筐体にネジ止めするためのものである。
【０００８】
図１（ｄ）乃至図１（ｆ）は、Ｓｔａｎｄａｒｄ  Ｈｅｉｇｈｔのブラケットの例であるブラケット１０ｂを表す。図１（ｄ）は、ブラケット１０ｂの正面図である。図１（ｅ）は、ブラケット１０ｂの図１（ｄ）に表される矢印９１ｂの向きを見た側面図である。また、図１（ｆ）は、ブラケット１０ｂの図１（ｄ）に表される矢印９１ａの向きを見た上面図である。
【０００９】
ブラケット１０ｂは、上部１１ｂと側部１２ｂとを備える。
【００１０】
上部１１ｂには、切欠け１５ｂが形成されている。切欠け１５ｂは、後述のように、ＰＣＩ拡張カードを取り付けたブラケット１０ａを、電子機器の筐体にネジ止めするためのものである。切欠け１５ｂの位置は、図１（ｃ）に表される上部１１ａでは切欠け１５ａが右端に形成されていたのに対し、上部１１ｂでは左端に形成されている。上部１１ｂは、図１（ａ）乃至図１（ｃ）に表される上部１１ａと比較して、その他の点においても図１（ｃ）及び（ｆ）に表される構成の相違がある。上部の構成のこれらの相違は、非特許文献２において規格化されたものであり、詳しい説明は省略される。
【００１１】
また、側部１２ｂにおける上端から取付け部１３ａまでの距離は、図１（ａ）及び図１（ｂ）に表される側部１２ａより長くなっている。
【００１２】
ブラケット１０ｂは、上記以外は、ブラケット１０ａと同様である。
【００１３】
図２は、図１（ａ）乃至図１（ｃ）に表されるブラケット１０ａ及び１０ｂが、電子機器の筐体に装着する対象のＰＣＩ拡張カードであるカード３５の構成を表すイメージ図である。また、図３は、図２に表されるカード３５が図１（ａ）乃至（ｃ）に表されるブラケット１０ａに装着された構成を表す概念図である。また、図４乃至図６はブラケット１０ａに装着されたカード３５が、電子機器の筐体に装着された構成を表す概念図である。図４は、筐体の内部を透視して見た側面図である。また、図５は、図４に表される天板２７をはずして見た上面図である。また、図６は、正面図である。
【００１４】
図２に表されるように、カード３５は、基板３４とコネクタ３１とを備える。コネクタ３１は、基板３４に形成された配線を外部の配線に接続するための接続部である。コネクタ３１には、基板３４に形成された配線を外部の配線に接続するための接続端子である端子部３２が備えられている。
【００１５】
基板３４には、図１に表されるブラケット１０ａ及び１０ｂの各々の、取付け部１３ａ及び１４ａのネジ穴１９ａ及び１９ｂをネジ止めするための穴である穴４１及び４２が形成されている。なお、基板３４及びコネクタ３１の仕様は、非特許文献１において定められている。
【００１６】
図２に表されるカード３５の穴４１及び４２は、図３に表されるように、ネジ１７ａ及び１８ａにより、ブラケット１０ａの取付け部１３ａ及び１４ａにネジ止めされる。その際にコネクタ３１は、ネジ４３及び４４により、ブラケット１０ａにネジ止めされる。この状態において、コネクタ３１の端子部３２は、図１（ａ）に表される穴３６ａから突き出ている。
【００１７】
なお、当該ネジ止めの際に、コネクタ３１と側部１２ａとの間には、ガスケット３３が挿入される。ガスケット３３は、電子機器の筐体の外部からコネクタを介して電磁波が筐体内に侵入し、あるいは、筐体内部の電磁波がコネクタを介して筐体外に漏洩するのを防ぐ、電磁波対策部品である。ガスケット３３は、例えば、金属板である。
【００１８】
図３に表される構成は、図４乃至図６に表されるように、電子機器の筐体である筐体２８に取り付けられる。ここで、筐体２８は、図４に表されるように、金属部材である、天板２７と、上側部２６と、中部２１と、側部２３と、底部２５とを備える。これらは、互いに固定されている。上側部２６と、中部２１と、側部２３と、底部２５とは、一体的に形成されていても構わない。
【００１９】
図３に表されるブラケット１０ａの上部１１ａは、図４乃至図６に表されるように、ネジ２２ａにより、筐体２８の中部２１の上にネジ止めされている。当該ネジ止めは、図１（ｃ）に表される上部１１ａの切欠け１５ａに行われる。
【００２０】
図４に表される側部２３には、図６に表されるように、複数のスリット２４が形成されている。スリット２４により、コネクタ３１の端子部３２は、筐体２８の外部に露出している。そして、スリット２４の各々は、筐体２８の内部から側部１２ａが筐体２８の側部２３に隙間無く押し付けられることにより塞がれている。これにより、筐体２８の内部は、各々が金属であり、天板２７と、上側部２６と、中部２１と、側部２３と、底部２５、ブラケット１０ａの側部１２ａ及びガスケット３３により、筐体２８の外との間の電磁波の通過が遮蔽されている。
【００２１】
図７は、図４乃至図６に表される構成を備える電子機器２００を表すイメージ図である。
【００２２】
図８乃至図１１は、図１に表されるブラケット１０ｂを用いて、図２に表されるカード３５が電子機器の筐体に装着された構成を表す概念図である。図８は、筐体２９の内部を透視して見た側面図である。また、図９は、図８に表される天板２７をはずして見た上面図である。また、図１０は、正面図である。
【００２３】
図８乃至図１１の説明は、ブラケットがＳｔａｎｄａｒｄ  Ｈｅｉｇｈｔである点を除いて、図４乃至図７の説明と同様である。従い、ここでは、詳細説明は省略される。なお、ネジ２２ｂは、ブラケット１０ｂを中部２１に装着するためのネジである。
【００２４】
図８乃至図１１に表されるように、ブラケット１０ｂを用いた場合は、基板３４は、図４乃至図７に表される筐体２８より深さが深い筐体２９の底部２５の近くに、基板３４を装着することができる。そして、その場合、図４乃至図７に表される場合と同様に、筐体２９の内部を電磁的に遮断することができる。
【００２５】
しかしながら、図１に表されるブラケット１０ａ及び１０ｂにより図２に表されるカード３５を筐体に装着する場合、以下の問題が生じる。
【００２６】
ＰＣＩ拡張カードを筐体に装着する局面においては、例えば、既にＬｏｗ  Ｐｒｏｆｉｌｅのブラケット１０ａに装着されたカード３５を、深さの深い筐体を備える電子機器に実装する必要が生じることがある。その場合、ブラケット１０ａをカード３５からはずし、ブラケット１０ｂをカード３５に付け替える必要がある。その際には、図３に表されるガスケット３３は取り外され、新品のガスケット３３に交換される。そのため、ガスケット３３に無駄が生じる。
【００２７】
さらに、ガスケット３３が正しく装着されないと、電磁波対策が十分に行われず、筐体内で発生した電磁波が他機器へ悪影響を及ぼし、又は、筐体外の電磁波が筐体内に悪影響を及ぼす危険性がある。さらに、ブラケットの付け替えは、ＰＣＩ拡張カードを変形させ、あるいは損傷させる危険性がある。そのため、ブラケットの付け替えはできるだけ行わないことが望ましい。
【００２８】
ここで、特願２０１８−２１０００１号明細書（以下、「出願文献」という。）には、ブラケットを伸縮構造にしたＰＣＩ拡張カード用ブラケットが記述されている。当該ブラケットは、この伸縮構造により、ブラケットの付け替えを行わずに、Ｓｔａｎｄａｒｄ  Ｈｅｉｇｈｔ用及びＬｏｗ  Ｐｒｏｆｉｌｅ用の両方の筐体に装着可能である。
【先行技術文献】
【非特許文献】
【００２９】
【非特許文献１】ＰＣＩ  Ｅｘｐｒｅｓｓ  Ｃａｒｄ  Ｅｌｅｃｔｒｏｍｅｃｈａｎｉｃａｌ  Ｓｐｅｃｉｆｉｃａｔｉｏｎ  Ｒｅｖ．  ２．０、［令和１年１１月２０日検索］、インターネット（ｈｔｔｐ：／／ｗｗｗ．ｒｉｔｒｏｎｔｅｋ．ｃｏｍ／ｕｐｌｏａｄｆｉｌｅ／２０１６／１０２６／２０１６１０２６１０５２３１１２４．ｐｄｆ）
【発明の概要】
【発明が解決しようとする課題】
【００３０】
しかしながら、出願文献に記述されたブラケットは、伸縮構造を備えるため、筐体に装着した場合に筐体との間に隙間が生じやすい。その隙間を電磁波が通過するので、このブラケットは、筐体内の電磁波対策が困難である。
【００３１】
本発明は、サイズ変更の際にカードの脱着が不要であり、電磁波対策が容易な取付部品等の提供を目的とする。
【課題を解決するための手段】
【００３２】
本発明の取付部品は、電子機器の筐体のスリットに取り付けられて拡張カードを前記筐体の内側において前記筐体に取り付けるための取付部品であって、前記拡張カードを装着するための部品であるカード装着部品と前記筐体に取り付けるための部品である筐体装着部品と、を備え、前記カード装着部品及び前記筐体装着部品のうちの一方が係合部を、前記カード装着部品及び前記筐体装着部品のうちの他方が、前記係合部に係合される被係合部を、各々備える。
【発明の効果】
【００３３】
本発明の取付部品等は、サイズ変更の際にカードの脱着が不要であり、電磁波対策が容易である。
【図面の簡単な説明】
【００３４】
【図１】一般的なブラケットの構成を表すイメージ図である。
【図２】ＰＣＩ拡張カードを表すイメージ図である。
【図３】ＰＣＩ拡張カードがＬｏｗ  Ｐｒｏｆｉｌｅブラケットに装着された構成を表す概念図である。
【図４】図３の構成が筐体に装着された構成を表す側面概念図である。
【図５】図４の構成の上面図である。
【図６】図４及び図５の構成の前面図である。
【図７】Ｌｏｗ  Ｐｒｏｆｉｌｅのブラケットが用いられた電子機器を表すイメージ図である。
【図８】ＰＣＩ拡張カードがＳｔａｎｄａｒｄ  Ｈｅｉｇｈｔのブラケットに装着され、さらに筐体に装着された構成を表す側面概念図である。
【図９】図８の構成の上面概念図である。
【図１０】図８及び図９の構成の前面図である。
【図１１】Ｓｔａｎｄａｒｄ  Ｈｅｉｇｈのブラケットが用いられた電子機器を表すイメージ図である。
【図１２】Ｌｏｗ  Ｐｒｏｆｉｌｅのブラケット用の、本実施形態の筐体装着部品の構成例を表す概念図である。
【図１３】Ｓｔａｎｄａｒｄ  Ｈｅｉｇｈのブラケット用の、本実施形態の筐体装着部品の構成例を表す概念図である。
【図１４】Ｌｏｗ  Ｐｒｏｆｉｌｅ及びＳｔａｎｄａｒｄ  Ｈｅｉｇｈのブラケット用の共通の、本実施形態のカード装着部品の構成例を表す概念図である。
【図１５】本実施形態のブラケットの構成例を表す概念図である。
【図１６】挿入部近傍及び被挿入部近傍を表す第一の構成例を表す概念図である。
【図１７】挿入部近傍及び被挿入部近傍を表す第二の構成例を表す概念図である。
【図１８】挿入部近傍及び被挿入部近傍を表す第三の構成例を表す概念図である。
【図１９】挿入部近傍及び被挿入部近傍を表す第四の構成例を表す概念図である。
【図２０】挿入部近傍及び被挿入部近傍を表す第五の構成例を表す概念図である。
【図２１】本実施形態のＬｏｗ  ＰｒｏｆｉｌｅのブラケットをＰＣＩ拡張カードに装着した構成を表す概念図である。
【図２２】筐体装着部品を取り外した構成を表す概念図である。
【図２３】Ｓｔａｎｄａｒｄ  Ｈｅｉｇｈのブラケット用の筐体装着部品を取り付けた構成を表す概念図である。
【図２４】実施形態の取付部品の最小限の構成を表す概念図である。
【発明を実施するための形態】
【００３５】
本実施形態においては、カード装着部品と、筐体装着部品とを一体化させたブラケットが用いられる。ここで、カード装着部品は、ＰＣＩ拡張カードを装着する、ブラケットの構成部品である。また、筐体装着部品は、筐体に装着される、ブラケットの構成部品である。
【００３６】
そして、カード装着部品は一種類とし、筐体装着部品の高さは、高いものと低いものとの二種類を用意する。そして、Ｓｔａｎｄａｒｄ  Ｈｅｉｇｈｔのブラケットとして使用するときは、高さの高い筐体装着部品を共通のカード装着部品に装着したブラケットを使用する。一方、Ｌｏｗ  Ｐｒｏｆｉｌｅのブラケットとして使用するときは、高さの低い筐体装着部品を共通のカード装着部品に装着したブラケットを使用する。
【００３７】
このような、筐体装着部品をアタッチメントとするブラケットにより、カードの取り外しを行うことなく、Ｌｏｗ  Ｐｒｏｆｉｌｅ及びＳｔａｎｄａｒｄ  Ｈｅｉｇｈｔのうちの一方のブラケットを他方のブラケットに変更することができる。
【００３８】
そして、当該変更の際に、背景技術の項で説明した伸縮構造のブラケットのように筐体とブラケットとの間に隙間が生じにくい。そのため、本実施形態のブラケットは、電子機器の筐体内の電磁波対策を、カードの取り外しを行わずにブラケットのサイズ変更を行えることと両立させることが容易である。
［構成と動作］
図１２乃至図１４は、本実施形態のブラケットを構成する、筐体装着部品及びカード装着部品を表す概念図である。前述のように、本実施形態のブラケットは、筐体装着部をカード装着部品に装着して一体化させるものである。
【００３９】
図１２は、Ｌｏｗ  Ｐｒｏｆｉｌｅ用の筐体装着部品の例である筐体装着部品１０１ａを表す概念図である。筐体装着部品１０１ａは、図１４に表されるカード装着部品１０２に装着されて一体化されることにより、図１５（ａ）乃至（ｃ）に表されるＬｏｗ  Ｐｒｏｆｉｌｅ用のブラケットであるブラケット１０ａとなるアタッチメント部材である。
【００４０】
図１２（ａ）は、筐体装着部品１０１ａの正面図である。また、図１２（ｂ）は、筐体装着部品１０１ａの図１２（ａ）に表される矢印９１ｂの向きを見た側面図である。また、図１２（ｃ）は、筐体装着部品１０１ａの図１２（ａ）に表される矢印９１ａの向きを見た上面図である。
【００４１】
筐体装着部品１０１ａは、上部１１ａと側部５９ａと挿入部５１ａとを備える。上部１１ａの構成は、図１（ａ）乃至（ｃ）に表される上部１１ａの構成と同じである。
【００４２】
挿入部５１ａは、図１４（ａ）乃至（ｃ）に表される被挿入部５２に形成された穴５３に挿入され、被挿入部５２に係合される部分である。ここで、実施形態において「係合」は、道具を使わないか、ドライバー等の一般的な道具で行う解除が可能な係合である。また、側部５９ａは、上部１１ａと挿入部５１ａとを連結する部分である。
【００４３】
なお、上部１１ａ、側部５９ａ及び挿入部５１ａのうちの二以上は一体的に形成されていても構わない。
【００４４】
図１３は、Ｓｔａｎｄａｒｄ  Ｈｅｉｇｈｔ用の筐体装着部品の例である筐体装着部品１０１ｂを表す概念図である。筐体装着部品１０１ｂは、図１４に表されるカード装着部品１０２に装着されて一体化されることにより、図１５（ｄ）乃至（ｆ）に表されるＳｔａｎｄａｒｄ  Ｈｅｉｇｈｔ用のブラケットであるブラケット１０ｂとなるアタッチメント部材である。
【００４５】
図１３（ａ）は、筐体装着部品１０１ｂの正面図である。また、図１３（ｂ）は、筐体装着部品１０１ｂの図１３（ａ）に表される矢印９１ｂの向きを見た側面図である。また、図１３（ｃ）は、筐体装着部品１０１ｂの図１３（ａ）に表される矢印９１ａの向きを見た上面図である。
【００４６】
筐体装着部品１０１ｂは、上部１１ａと側部５９ｂと挿入部５１ａとを備える。上部１１ａの構成は、図１（ｄ）乃至（ｆ）に表される上部１１ｂの構成と同じである。
【００４７】
挿入部５１ａは、図１４（ａ）乃至（ｃ）に表される被挿入部５２に形成された穴５３に挿入され、被挿入部５２に係合される部分である。また、側部５９ｂは、上部１１ｂと挿入部５１ａとを連結する部分である。側部５９ｂの高さは、図１２に表される側部５９ａより高い。
【００４８】
なお、上部１１ｂ、側部５９ｂ及び挿入部５１ａのうちの二以上は一体的に形成されていても構わない。
【００４９】
図１４は、本実施形態のカード装着部品の例であるカード装着部品１０２の構成を表す概念図である。
【００５０】
カード装着部品１０２は、図１に表すブラケット１０ａ又は１０ｂの取付け部１３ａ近傍より下の部分に、被挿入部５２を取り付けた構成を備える。被挿入部５２は、形成された穴５３に、前述のように、図１２の筐体装着部品１０１ａ又は図１３の筐体装着部品１０１ｂの挿入部５１ａが挿入、係合される部分である。
【００５１】
図１５は、本実施形態のＬｏｗ  Ｐｒｏｆｉｌｅ用のブラケットの例であるブラケット１０ａ及びＳｔａｎｄａｒｄ  Ｈｅｉｇｈｔ用のブラケットの例であるブラケット１０ｂの構成を表す概念図である。ブラケット１０ａは、図１２に表される筐体装着部品１０１ａの挿入部５１ａを、図１４に表されるカード装着部品１０２の被挿入部５２の穴５３に挿入、係合し、一体化したものである。また、ブラケット１０ｂは、図１３に表される筐体装着部品１０１ｂの挿入部５１ａを、図１４に表されるカード装着部品１０２の被挿入部５２の穴５３に挿入、係合し、一体化したものである。
【００５２】
図１５（ａ）は、ブラケット１０ａの正面図である。また、図１５（ｂ）は、ブラケット１０ａの図１５（ａ）に表される矢印９１ｂの向きを見た側面図である。また、図１５（ｃ）は、ブラケット１０ａの図１５（ａ）に表される矢印９１ａの向きを見た上面図である。
【００５３】
図１５（ｄ）は、ブラケット１０ｂの正面図である。また、図１５（ｅ）は、ブラケット１０ｂの図１５（ｄ）に表される矢印９１ｂの向きを見た側面図である。また、図１５（ｆ）は、ブラケット１０ｂの図１５（ｄ）に表される矢印９１ａの向きを見た上面図である。
【００５４】
ブラケット１０ａは、図３乃至図７に表されるブラケット１０ａとして用いることができる。また、ブラケット１０ｂは、図８乃至図１１に表されるブラケット１０ｂとして用いることができる。
【００５５】
次に、筐体装着部品の挿入部近傍及びカード装着部品の被挿入部近傍のバリエーションを説明する。
【００５６】
図１６は、挿入部近傍及び被挿入部近傍の第一のバリエーションを表す斜視概念図である。図１６に表される挿入部５１ａ及び被挿入部５２の組合せは、図１２に表される筐体装着部品１０１ａ又は図１３に表される筐体装着部品１０１ｂの挿入部５１ａと、図１４に表される被挿入部５２との組合せと同じである。
【００５７】
図１７は、挿入部近傍及び被挿入部近傍の第二のバリエーションを表す斜視概念図である。図１７に表される挿入部５１ａが被挿入部５２の穴５３に挿入されると、筐体装着部品１０１ａ又は１０１ｂの面９２は、カード装着部品１０２の面９３と接触する。図１７の筐体装着部品１０１ａ又は１０１ｂとカード装着部品１０２との組合せは、当該接触により、挿入部５１ａと被挿入部５２との係合の安定性が、図１６に表されるものと比較して向上する。
【００５８】
図１８は、挿入部近傍及び被挿入部近傍の第三のバリエーションを表す斜視概念図である。図１７に表される挿入部５１ａが被挿入部５２の穴５３に挿入された後に、さらにネジ６１の先端部６２により、ネジ穴５４が穴５５にネジ止めされる。そのため、図１８の筐体装着部品１０１ａ又は１０１ｂとカード装着部品１０２との組合せは、当該ネジ止めにより、挿入部５１ａが被挿入部５２に、図１７に表されるものと比較して、より強固に係合される。
【００５９】
挿入部５１ａ及び被挿入部５２の穴５３の形状は、必ずしも直方体である必要はない。例えば、図１９に表されるように、挿入部５１ａ及び被挿入部５２の穴５３の形状が、ともに、三角柱であっても構わない。また、図２０に表されるように、挿入部５１ａ及び被挿入部５２の穴５３の形状が、ともに、上方又は下方から見た形状が「コ」の字型の柱状であっても構わない。
【００６０】
挿入部５１ａ及び被挿入部５２の穴５３の形状は、挿入部５１ａの穴５３への挿入により、筐体装着部品１０１ａ又は１０１ｂが、カード装着部品１０２に係合するものであれば構わない。
【００６１】
次に、カード３５に装着されたＬｏｗ  Ｐｒｏｆｉｌｅ用のブラケット１０ａを、カード３５をはずさずに、Ｓｔａｎｄａｒｄ  Ｈｅｉｇｈｔ用のブラケット１０ｂに変更する様子を説明する。
【００６２】
図２１は、カード３５にＬｏｗ  Ｐｒｏｆｉｌｅ用のブラケット１０ａが装着された状態を表す。ブラケット１０ａは、図１２に表されるＳｔａｎｄａｒｄ  Ｈｅｉｇｈｔ用の筐体装着部品１０１ａと図１４に表されるカード装着部品１０２とを係合させたものである。
【００６３】
この状態から図２２に表されるように、ブラケット１０ａの筐体装着部品１０１ａを取りはずす。
【００６４】
そして、図２３に表されるように、カード装着部品１０２に図１３に表されるＳｔａｎｄａｒｄ  Ｈｅｉｇｈｔ用の筐体装着部品１０１ｂを係合させる。
【００６５】
このように、本実施形態の筐体装着部品１０１ａ及び１０１ｂ、並びに、カード装着部品１０２を用いれば、ブラケットをカード３５から取り外し、ガスケット３３を交換し、ブラケットを再度、カード３５に取り付ける作業が不要になる。そのため、ブラケットのサイズ変更の際にカードの脱着が不要である。さらに、本実施形態のブラケット１０ａ又は１０ｂを装着したカード３５は、一般的なブラケットを装着したカード同様に、図６や図１０に表されるように、筐体２８又は２９のスリット２４を隙間無く塞いで、筐体２８又は２９に装着され得る。そのため、本実施形態のブラケット１０ａ及び１０ｂは、ブラケットのサイズ変更の際にカードの脱着が不要であり、筐体内の電磁波対策が容易である。
【００６６】
なお、図１４乃至図２３に表される被挿入部５２は、図６や図１０に表されるように、ブラケット１０ａ又は１０ｂが筐体２８又は２９に装着された状態で、スリット２４の端部に当たらないように設定されていることがより好ましい。その理由は、被挿入部５２がスリット２４の端部に当たることによる隙間の発生による、電磁波の筐体２８又は２９と外部との間の通過を防ぎ、一層良好な電磁波対策を行うことが容易になるためである。
［効果］
以上説明したように、本実施形態のブラケットは、ブラケットのサイズ変更の際にカードの脱着が不要であり、筐体内の電磁波対策が容易である。
【００６７】
なお、以上の説明では、筐体装着部に挿入部が、カード装着部品に当該挿入部が挿入、係合される被挿入部が、備えられる場合の例を説明した。しかしながら、カード装着部品に挿入部が、筐体装着部に被挿入部が備えられても構わない。
【００６８】
図２４は、実施形態の取付部品の最小限の構成である取付部品１０ｘの構成を表す概念図である。取付部品１０ｘは、電子機器の筐体のスリットに取り付けられて拡張カードを前記筐体の内側において前記筐体に取り付けるための取付部品である。取付部品１０ｘは、カード装着部品１０２ｘと筐体装着部品１０１ｘとを備える。
【００６９】
カード装着部品１０２ｘは、前記拡張カードを装着するための部品である。また、筐体装着部品１０１ｘは、前記筐体に取り付けるための部品である。カード装着部品１０２ｘ及び筐体装着部品１０１ｘのうちの一方が係合部を、カード装着部品１０２ｘ及び筐体装着部品１０１ｘのうちの他方が、前記係合部に係合される被係合部を、各々備える。
【００７０】
取付部品１０ｘは、係合部を備える部品と被係合部を備える部品を備え、それらの部品は、前記係合を解除することができる。従い、取付部品１０ｘは、カード装着部品１０２ｘに前記拡張カードを取り付けたまま、前記係合を解除し、サイズの異なる他の筐体装着部品１０１ｘを係合させることができる。そのため、取付部品１０ｘは、サイズ変更の際にカードの脱着が不要である。さらに、取付部品１０ｘは、出願文献のブラケットのような伸縮構造を備えないので、電磁波対策が容易である。
【００７１】
そのため、取付部品１０ｘは、サイズ変更の際にカードの脱着が不要であり、電磁波対策が容易である。
【００７２】
そのため、取付部品１０ｘは、前記構成により、［発明の効果］の項に記載した効果を奏する。
【００７３】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００７４】
また、前記の実施形態の一部又は全部は、以下の付記のようにも記述され得るが、以下には限られない。
（付記１）
電子機器の筐体のスリットに取り付けられて拡張カードを前記筐体の内側において前記筐体に取り付けるための取付部品であって、
前記拡張カードを装着するための部品であるカード装着部品と前記筐体に取り付けるための部品である筐体装着部品と、を備え、
前記カード装着部品及び前記筐体装着部品のうちの一方が係合部を、前記カード装着部品及び前記筐体装着部品のうちの他方が、前記係合部に係合される被係合部を、各々備える、
取付部品。
（付記２）
前記スリットを前記内側から覆うように装着される、付記１に記載された取付部品。
（付記３）
前記筐体装着部品は、前記筐体に取り付けるための筐体取付部を備える、付記１又は付記２に記載された取付部品。
（付記４）
前記拡張カードは、前記拡張カードに形成された配線を外部に接続するためのコネクタを備えており、前記カード装着部品は、前記コネクタを装着するためのコネクタ装着部を備える、付記１乃至付記３のうちのいずれか一に記載された取付部品。
（付記５）
前記コネクタは、電磁波対策部材を介して、前記カード装着部品に装着される、付記４に記載された取付部品。
（付記６）
前記電磁波対策部材が金属板である、付記５に記載された取付部品。
（付記７）
前記係合部が挿入部であり、前記被係合部が、前記挿入部が挿入される穴が形成された被挿入部である、付記１乃至付記６のうちのいずれか一に記載された取付部品。
（付記８）
前記挿入部の周囲に第一の面が、前記被挿入部に第二の面が形成されており、前記係合により、前記第一の面が前記第二の面に接合される、付記７に記載された取付部品。
（付記９）
前記係合の後に、前記被挿入部が前記挿入部にネジ止めされる、付記７又は付記８に記載された取付部品。
（付記１０）
前記筐体に取り付けられたときに、前記被挿入部が、前記スリットの端部に接しない、付記７乃至付記９のうちのいずれか一に記載された取付部品。
（付記１１）
前記筐体に取り付けられたときに、前記被挿入部が、前記スリットに収まる、付記７乃至付記１０のうちのいずれか一に記載された取付部品。
（付記１２）
ＰＣＩ  Ｅｘｐｒｅｓｓ  Ｃａｒｄ  Ｅｌｅｃｔｒｏｍｅｃｈａｎｉｃａｌ  Ｓｐｅｃｉｆｉｃａｔｉｏｎの規定に準拠している、付記１乃至付記１１のうちのいずれか一に記載された取付部品。
（付記１３）
付記１乃至付記１２のうちのいずれか一に記載された取付部品と、前記取付部品に装着された前記拡張カードと、を備える拡張カード部品。
（付記１４）
前記筐体と前記筐体に取り付けられた、付記１３に記載された拡張カード部品とを備える、筐体部品。
（付記１５）
付記１４に記載された筐体部品を備え、前記電子機器である、電子装置。
（付記１６）
拡張カードを装着するためのカード装着部品と、
複数の、電子機器の筐体のスリットに取り付けられて拡張カードを前記筐体の内側に取り付けるための筐体装着部品と、を備え、
前記カード装着部品及び前記筐体装着部品のうちの一方に係合部が、前記カード装着部品及び前記筐体装着部品のうちの他方に前記係合部が係合される被係合部が、備えられており、
第一の前記筐体装着部品と第二の前記筐体装着部品とで高さが異なる、
部品セット。
【００７５】
なお、付記１の、前記電子機器は、例えば、図７図１１に表される電子機器２００である。また、前記筐体は、例えば、図４乃至図７に表される筐体２８、又は、図８乃至図１１に表される筐体２９である。また、前記スリットは、例えば、図６又は図１０に表されるスリット２４である。
【００７６】
また、前記拡張カードは、例えば、図２、図３、図４又は図８に表されるカード３５である。また、前記カード装着部品は、例えば、図１４に表されるカード装着部品１０２である。また、前記筐体装着部品は、例えば、図１２に表される筐体装着部品１０１ａ、又は、図１３に表される筐体装着部品１０１ｂである。また、前記係合部は、例えば、図１２又は図１３に表される挿入部５１ａである。
【００７７】
また、前記被係合部は、例えば、図１４に表される被挿入部５２である。また、前記取付部品は、例えば、図１５に表されるブラケット１０ａ又は１０ｂである。また、付記２の「前記スリットを前記内側から覆うように装着」は、例えば、図６又は図１０のような装着である。また、付記３の前記筐体取付部は、例えば、図１２（ｃ）に表される窪み１５ａ又は図１３（ｃ）に表される窪み１５ｂである。
【００７８】
また、付記４の前記コネクタは、例えば、図２１乃至図２３に表されるコネクタ３１である。また、前記コネクタ装着部は、例えば、図１５に表される穴３６ａの周囲である。
また、付記５又は付記６の前記電磁波対策部材は、例えば、図２１乃至図２３に表されるガスケット３３である。また、付記７の前記挿入部は、例えば、図１２、図１３、図１６、図１７、図１８、図１９又は図２０に表される挿入部５１ａである。
【００７９】
また、前記被挿入部は、例えば、図１４、図１６、図１７、図１８、図１９又は図２０に表される被挿入部５２である。また、付記８の前記第一の面は、例えば、図１７に表される面９２又は、図２０に表される挿入部５１ａの周囲の面である。また、前記第二の面は、例えば、図１７に表される面９３又は、図２０に表される被挿入部５２の上面である。
【００８０】
また。付記９の前記ネジは、例えば、図１８に表されるネジ６１である。また、付記１０の「前記被挿入部が、前記スリットの端部に接しない」及び付記１１の「前記被挿入部が、前記スリットに収まる」は、例えば、図１５に表されるブラケット１０ａ又は１０ｂを、図６又は図１０のように装着した場合に、被双挿入部１２が、スリット２４の左右の端に当たらないことである。
【００８１】
また、付記１３の拡張カード部品は、例えば、図２１に表されるブラケット１０ａとカード３５との組合せ、又は図２３に表されるブラケット１０ｂとカード３５との組合せである。
【００８２】
また、付記１４の筐体部品は、例えば、図７の、筐体２８と、基板３４と、端子部３２を含むコネクタと、ブラケット１０ａとの組合せ、のブラケット１０ａに、図１５（ａ）乃至図１５（ｃ）に表されるブラケット１０ａを用いたものである。付記１４の筐体部品は、あるいは、例えば、図１１の、筐体２９と、基板３４と、端子部３２を含むコネクタと、ブラケット１０ｂとの組合せ、のブラケット１０ｂに、図１５（ｄ）乃至図１５（ｆ）に表されるブラケット１０ｂを用いたものである。
【００８３】
また、付記１５の電子装置は、例えば、図７の電子機器２００のブラケット１０ａに図１５（ａ）乃至図１５（ｃ）に表されるブラケット１０ａを用いたものである。付記１５の電子装置は、あるいは、例えば、図１１の、筐体２９のブラケット１０ｂに、図１５（ｄ）乃至図１５（ｆ）に表されるブラケット１０ｂを用いたものである。また、付記１６の部品セットは、例えば、図１２の筐体装着部品１０１ａと、図１３の筐体装着部品１０１ｂと、図１４のカード装着部品１０２とを含む部品セットである。
【符号の説明】
【００８４】
１０ａ、１０ｂ    ブラケット
１０ｘ    取付部品
１０１ａ、１０１ｂ、１０１ｘ    筐体装着部品
１０２、１０２ｘ    カード装着部品
１１ａ、１１ｂ    上部
１２ａ、１２ｂ、５９ａ    側部
１３ａ、１４ａ    取付け部
１５ａ、１５ｂ    切欠け
１７ａ、１８ａ、２２ａ、２２ｂ、４３、４４、６１    ネジ
１９ａ、１９ｂ、５４    ネジ穴
２１    中部
２３    側部
２４    スリット
２５    底部
２６    上側部
２７    天板
２８、２９    筐体
２００    電子機器
３１    コネクタ
３２    端子部
３４    基板
３５    カード
３６ａ、３７ａ、３７ｂ、４１、４２、５３、５５    穴
５１ａ    挿入部
５２    被挿入部
９１ａ、９１ｂ、９１ｃ    矢印
９２、９３    面
６２    先端部
【図１】
0006962993.tif 000002
【図２】
0006962993.tif 000003
【図３】
0006962993.tif 000004
【図４】
0006962993.tif 000005
【図５】
0006962993.tif 000006
【図６】
0006962993.tif 000007
【図７】
0006962993.tif 000008
【図８】
0006962993.tif 000009
【図９】
0006962993.tif 000010
【図１０】
0006962993.tif 000011
【図１１】
0006962993.tif 000012
【図１２】
0006962993.tif 000013
【図１３】
0006962993.tif 000014
【図１４】
0006962993.tif 000015
【図１５】
0006962993.tif 000016
【図１６】
0006962993.tif 000017
【図１７】
0006962993.tif 000018
【図１８】
0006962993.tif 000019
【図１９】
0006962993.tif 000020
【図２０】
0006962993.tif 000021
【図２１】
0006962993.tif 000022
【図２２】
0006962993.tif 000023
【図２３】
0006962993.tif 000024
【図２４】
0006962993.tif 000025